(57)【要約】【課題】つまみプル状態ではつまみを所定の広い回転範囲で回転でき、プル状態のつまみを中間位置まで回転したところで押し下げた状態では押下げた中間位置から他端までの範囲のみでつまみを回転できるストッパー付きつまみを提供する。【解決手段】ストッパー機構部１５とつまみ本体部１３とを具備する。ストッパー機構部１５は、抵抗器本体部２６１側に固定される固定側部材２１０と、所定の回転位置でその回転が制止される回転側部材１７０とを有する。回転側部材１７０に筒状突出部１７１を設け、つまみ本体部１３の作動体１２０に押圧部１２５を設けてクラッチ機構Ｃ１を構成する。つまみ本体部１３が上昇位置にある際は押圧部１２５が筒状突出部１７１の外周面から離れてつまみ本体部１３のみが回転する。つまみ本体部１３が下降位置にある際は押圧部１２５が筒状突出部１７１の外周面に当接してつまみ本体部１３と回転側部材１７０が一体に回転する。【選択図】図５
2015050065.tif 000002
【特許請求の範囲】
【請求項１】
操作本体部から突出するシャフトに取り付けられ、前記シャフトと共に回転することで前記操作本体部の操作を行うつまみにおいて、
前記つまみは、
前記操作本体部上に設置されるストッパー機構部と、
前記ストッパー機構部上に設置され、前記シャフトと一体に回転すると同時に前記シャフトに対して上下動自在に設置されるつまみ本体部と、を具備し、
前記ストッパー機構部は、前記操作本体部側に固定される固定側部材と、前記固定側部材に対して回転すると共に所定の回転位置でその回転が制止される回転側部材とを有して構成され、
前記回転側部材と前記つまみ本体部側の部材の何れか一方に筒状突出部を設けると共に、何れか他方に前記筒状突出部の周囲に位置する押圧部を設けてクラッチ機構を構成し、前記つまみ本体部が上昇位置にある際は前記押圧部が前記筒状突出部の外周面から離れてつまみ本体部のみが回転し、前記つまみ本体部が下降位置にある際は前記押圧部が前記筒状突出部の外周面に当接・押圧してつまみ本体部と回転側部材を一体に回転させることを特徴とするストッパー付きつまみ。
【請求項２】
請求項１に記載のストッパー付きつまみであって、
前記筒状突出部を設けた前記回転側部材または前記つまみ本体部側の部材に、前記筒状突出部を囲むガイド突起を設け、
一方前記押圧部には、前記つまみ本体部が下降した際に、前記ガイド突起に当接することでこの押圧部を半径方向内側に移動して前記筒状突出部の外周面に当接・押圧させるガイド突起当接部を設けたことを特徴とするストッパー付きつまみ。
【請求項３】
請求項２に記載のストッパー付きつまみであって、
前記押圧部は、前記つまみ本体部側に組み付けられる作動体に、可撓性を有するヒンジ部によって半径方向に移動自在に保持されていることを特徴とするストッパー付つまみ。
【請求項４】
請求項３に記載のストッパー付きつまみであって、
前記押圧部には、この押圧部を半径方向に向かって移動させるようにガイドするガイド機構が設けられていることを特徴とするストッパー付つまみ。
【発明の詳細な説明】
【技術分野】
【０００１】
本発明は、つまみの回転範囲を任意に変更することができるストッパー付きつまみに関するものである。
【背景技術】
【０００２】
従来、例えば回転式可変抵抗器等の回転式電子部品の中には、回転式電子部品本体の上面からシャフトを突出し、このシャフトにつまみを取り付け、つまみと共にシャフトを回転することで回転式電子部品の出力（電気的出力）を変化させる構造のものがある。
【０００３】
一方、回転式電子部品の使用方法として、通常（つまみプル状態）はつまみを３６０°内の所定の広い回転範囲（一端から他端まで）で回転することでその電気的出力を変化させることができ、一方、プル状態のつまみを一端から所定の位置（中間位置）まで回転したところでつまみをシャフト方向に押し下げた場合（つまみプッシュ状態）は、押下げた位置から他端までの範囲でしかつまみを回転できなくなってその範囲のみで電気的出力を変化させることができる使用方法が求められていた。
【０００４】
これは例えば、この回転式電子部品を楽器の演奏の際の音量調整用のボリュームとして使用するような場合、音量ゼロ〜最大ではなく、所定の音量〜最大の音量（ボリューム操作時に音量を極端に低くしたくない）、又は所定の音量〜音量ゼロ（ボリューム操作時に音量を極端に大きくしたくない）でのみ使用したいような場合等に用いて好適である。
【先行技術文献】
【特許文献】
【０００５】
【特許文献１】特開２００５−２０３３２２号公報
【発明の概要】
【発明が解決しようとする課題】
【０００６】
本発明は上述の点に鑑みてなされたものでありその目的は、通常（つまみプル状態）はつまみを所定の広い回転範囲（一端から他端まで）で回転させることができ、一方、プル状態のつまみを所定の中間位置まで回転したところでつまみをシャフト方向に押し下げた場合（つまみプッシュ状態）は押下げた位置から他端までの範囲でしかつまみを回転することができなくなる新規な構造のストッパー付きつまみを提供することにある。
【課題を解決するための手段】
【０００７】
本発明は、操作本体部から突出するシャフトに取り付けられ、前記シャフトと共に回転することで前記操作本体部の操作を行うつまみにおいて、前記つまみは、前記操作本体部上に設置されるストッパー機構部と、前記ストッパー機構部上に設置され、前記シャフトと一体に回転すると同時に前記シャフトに対して上下動自在に設置されるつまみ本体部と、を具備し、前記ストッパー機構部は、前記操作本体部側に固定される固定側部材と、前記固定側部材に対して回転すると共に所定の回転位置でその回転が制止される回転側部材とを有して構成され、前記回転側部材と前記つまみ本体部側の部材の何れか一方に筒状突出部を設けると共に、何れか他方に前記筒状突出部の周囲に位置する押圧部を設けてクラッチ機構を構成し、前記つまみ本体部が上昇位置にある際は前記押圧部が前記筒状突出部の外周面から離れてつまみ本体部のみが回転し、前記つまみ本体部が下降位置にある際は前記押圧部が前記筒状突出部の外周面に当接・押圧してつまみ本体部と回転側部材を一体に回転させることを特徴とする。
これによって、通常（つまみプル状態）はつまみを所定の広い回転範囲（一端から他端まで）で回転させることができ、一方、プル状態のつまみを所定の中間位置まで回転したところでつまみをシャフト方向に押し下げた場合（つまみプッシュ状態）は押下げた位置から他端までの範囲のみでつまみを回転することができるようになる。
【０００８】
また本発明は、前記筒状突出部を設けた前記回転側部材または前記つまみ本体部側の部材に、前記筒状突出部を囲むガイド突起を設け、一方前記押圧部には、前記つまみ本体部が下降した際に、前記ガイド突起に当接することでこの押圧部を半径方向内側に移動して前記筒状突出部の外周面に当接・押圧させるガイド突起当接部を設けたことを特徴とする。これによって、つまみ本体部が下降した際に、押圧部を確実に半径方向内側に移動して筒状突出部の外周面に当接・押圧させることができる。
【０００９】
また本発明は、前記押圧部が、前記つまみ本体部側に組み付けられる作動体に、可撓性を有するヒンジ部によって半径方向に移動自在に保持されていることを特徴とする。これによって、つまみ本体部側に押圧部を容易に保持でき、且つ押圧部を半径方向に移動させることができる。
【００１０】
また本発明は、前記押圧部に、この押圧部を半径方向に向かって移動させるようにガイドするガイド機構を設けることを特徴とする。これによって、押圧部を確実に、半径方向に向かって移動させることができる。
【発明の効果】
【００１１】
本発明によれば、つまみが上昇位置にあるときは、つまみを所定の広い回転範囲（一端から他端まで）で回転させることができ、一方、上昇位置にあるつまみを所定の中間位置まで回転したところでつまみをシャフト方向に押し下げた場合は、押下げた位置から他端までの範囲のみでつまみを回転させることができる。
【図面の簡単な説明】
【００１２】
【図１】ストッパー付きつまみ１０と操作体（回転式可変抵抗器）２６０を示す分解斜視図である。
【図２】ストッパー付きつまみ１０の分解斜視図である。
【図３】ストッパー付きつまみ１０を下側から見た分解斜視図である。
【図４】作動体１２０の一部の部分の要部拡大斜視図である。
【図５】ストッパー付きつまみ１０の図１に示すＡ−Ａ線上断面図である。
【図６】ストッパー付きつまみ１０の図１に示すＢ−Ｂ線上断面図である。
【図７】ストッパー付きつまみ１０の組立方法説明図である。
【図８】クラッチオンのときのストッパー付きつまみ１０の断面図である。
【図９】クラッチのオンオフ状態説明図である。
【図１０】ストッパー用係止部１８１とストッパー用係止部２２１の位置関係を示す図である。
【発明を実施するための形態】
【００１３】
以下、本発明の実施形態を図面を参照して詳細に説明する。図１は本実施形態にかかるストッパー付きつまみ１０と、このストッパー付きつまみ１０を取り付ける操作体（回転式電子部品、以下「回転式可変抵抗器」という）２６０を示す分解斜視図である。同図に示すようにストッパー付きつまみ１０は、回転式可変抵抗器２６０のシャフト２７１に取り付けられ、ネジ２５０によって固定される。なお以下の説明において、「上」とは回転式可変抵抗器２６０の下記する操作本体部（以下「抵抗器本体部」という）２６１からストッパー付きつまみ１０を見る方向をいい、「下」とはその反対方向をいうものとする。
【００１４】
回転式可変抵抗器２６０は、略円柱形状の抵抗器本体部２６１の上面から円筒状でその外周にオネジ２６３を形成してなる軸支部材２６４を突出し、この軸支部材２６４の中央に円柱状のシャフト２７１を貫通させて構成されている。抵抗器本体部２６１には外部接続用の３本の端子２６５が取り付けられている。
【００１５】
図２はストッパー付きつまみ１０の分解斜視図、図３はストッパー付きつまみ１０を下側から見た分解斜視図である。これらの図に示すようにストッパー付きつまみ１０は、蓋体２０と、クリックバネ４０と、シャフト固定部材６０と、つまみ操作体９０と、作動体１２０と、抜け止め体１６０と、回転側部材１７０と、復帰用弾発部材２００と、固定側部材２１０とを具備して構成されている。
【００１６】
ここで上側の蓋体２０とクリックバネ４０とつまみ操作体９０と作動体１２０とによってつまみ本体部１３（図７参照）が構成され、下側の抜け止め体１６０と回転側部材１７０と復帰用弾発部材２００と固定側部材２１０とによってストッパー機構部１５（図７参照）が構成される。
【００１７】
蓋体２０は合成樹脂の成形品であり、円形の上面板２１の下面に、略六角筒状の上下方向ガイド側壁２３を突設して構成されている。上面板２１の下面中央付近には、４本（図３では２本のみ示す）の小突起からなるクリックバネ固定部２５が設けられている。
【００１８】
上下方向ガイド側壁２３の内周面の形状寸法は、下記するシャフト固定部材６０の六角形状の外周にがたつきなく上下動自在に挿入できる形状寸法に形成されている。また上下方向ガイド側壁２３の内の３つの内側面には、上下方向に向かう帯状の凹部２７が形成されている。また上下方向ガイド側壁２３の下端辺からは下方向に向かって複数（５つ）の小突起からなる取付部２９が突出している。また上下方向ガイド側壁２３の１つの辺には、これを切り欠いてなる突出部挿入凹部３１が形成されている。突出部挿入凹部３１には下記するシャフト固定部材６０の突出部６３が上下動自在に挿入される。
【００１９】
クリックバネ４０は弾性金属板製であり、略円板状のバネ基部４１の外周から３本の帯状の弾接アーム部４３を突出し、各弾接アーム部４３の根元部分を下方向に向けて折り曲げて構成されている。バネ基部４１の前記蓋体２０の各クリックバネ固定部２５に対向する位置（４か所）にはこれらを挿入する小孔からなる蓋体取付部４５が形成されている。また各弾接アーム部４３の先端近傍部分には、内側に向かって凸となるように屈曲してなるクリック弾接部４７が形成されている。各弾接アーム部４３の幅は、前記蓋体２０の凹部２７の幅よりも小さい幅寸法に形成され、弾接アーム部４３が凹部２７に挿入可能に形成されている。
【００２０】
シャフト固定部材６０は合成樹脂の成形品であり、略六角柱状に形成され、その中央には上下に貫通するシャフト固定孔６１が形成されている。シャフト固定孔６１には前記図１に示すシャフト２７１が嵌合される。またシャフト固定部材６０の外周の１つの面からは半径方向外方に突出する突出部６３が設けられ、突出部６３の先端面にはネジ穴６５が形成されている。ネジ穴６５は前記シャフト固定孔６１まで貫通している。シャフト固定部材６０の６つの外周側面の内、前記突出部６３を設けたその両側の側面と、前記突出部６３に１８０°対向する側面には、上下方向に帯状に延びる凹状の弾接アーム部挿入部６７が設けられている。各弾接アーム部挿入部６７の幅は、前記各弾接アーム部４３の幅寸法よりも少し大きい寸法に形成されている。また各弾接アーム部挿入部６７の底面の下方の同一高さの位置には、横断面略三角形状に突出するクリック用凸部６９が形成されている（図２，図３では手前側の１つのみ示す）。
【００２１】
つまみ操作体９０は合成樹脂の成形品であり、略円錐台形筒状の操作体上部９１と、操作体上部９１の下端外周辺から半径方向外方に向かって突出するリング状の操作体下部９３とを有し、これによって中央に上下に貫通する貫通孔を設けている。操作体上部９１の側面には、１つの円形の貫通するネジ挿通孔９２が形成されている。ネジ挿通孔９２は、図１に示すネジ２５０を挿通できる内径寸法に形成されている。つまみ操作体９０の内部には、これを上下に仕切る仕切り部９５が設けられており、この仕切り部９５の上部側空間が第１収納部９７、下部側空間が第２収納部９９となっている。仕切り部９５中央には円形の開口１０１が設けられている。
【００２２】
仕切り部９５の前記蓋体２０の各取付部２９に対向する位置には、これら取付部２９を挿入する小孔からなる被取付部１０３が設けられている。仕切り部９５の下面の等間隔な６か所には、それぞれ２本で一対のガイド用突起の間にガイド溝１０５を形成している。各ガイド溝１０５は直線状で半径方向を向き、何れもこのつまみ操作体９０の回転中心軸を向いている。仕切り部９５の下面の外周を囲む位置からは筒状の基部１０７が突出し、基部１０７の下辺の複数位置（６か所）からは小突起状の取付部１０９が突出している。
【００２３】
図４は作動体１２０の一部の部分の要部拡大斜視図であり、図４（ａ）は上側から見た状態、図４（ｂ）は下側から見た状態を示している。同図及び図２，図３に示すように、作動体１２０は合成樹脂の成形品であり、略円板リング状に形成された作動体取付部１２１の内周側に、ヒンジ部１２３を介して複数（３つ）の押圧部１２５を配置して構成されている。
【００２４】
作動体取付部１２１は略リング状の平板であり、前記つまみ操作体９０の各取付部１０９に対向する位置にこれらを挿入する小孔からなる操作体取付部１２７を設けている。また作動体取付部１２１の内周辺の前記各押圧部１２５に対向する位置（３か所）には、凹部１２６が形成されている。作動体取付部１２１の内周辺部分には、各凹部１２６間に、上方向に突出する縁部１３０が形成され、各縁部１３０の中央内側に設けた連結部１２８にヒンジ部１２３が連結されている。
【００２５】
押圧部１２５は略矩形平板状のガイド設置部１２９と、ガイド設置部１２９の上面中央に形成されるガイド１３１と、ガイド設置部１２９の内周側の端辺部分から下方向に延びるように形成される略平板状の押圧部基部１３３と、押圧部基部１３３の先端（下端）近傍の外周面側に設けられるガイド突起当接部１３５とを具備して構成されている。ガイド１３１は、細長直線状の小突起であり、その長手方向は半径方向を向き、何れもこのつまみ操作体９０の回転中心軸を向いている。そして各ガイド１３１は前記つまみ操作体９０のガイド溝１０５に挿入される寸法に形成されており、ガイド溝１０５にガイドされて半径方向に直線移動自在となる。ガイド突起当接部１３５は下から上方向に向かって半径方向外方に広がる傾斜面によって形成されている。また押圧部基部１３３の内周側の面は、下記する回転側部材１７０の押圧部当接面１７７を押圧する押圧面１３７となっている。
【００２６】
ヒンジ部１２３は略円弧状の細棒状に形成されることで可撓性を有し、一端は押圧部１２５に連結され、他端は前記作動体取付部１２１の縁部１３０の内周辺から突出する連結部１２８に連結されている。各連結部１２８は、前記各凹部１２６の中間位置に設けられている。言い換えれば、ヒンジ部１２３は、押圧部１２５の左右両側に連結され、それらの両端は前記連結部１２８に連結され、これによって押圧部１２５は、ヒンジ部１２３が撓むことで、半径方向に移動自在に保持されている。
【００２７】
抜け止め体１６０は金属製（又は樹脂製）の平板を略リング状に形成して構成されており、中央には開口１６１が設けられ、外周には等間隔に複数（６つ）の凹部からなる取付部１６３が形成されている。
【００２８】
回転側部材１７０は合成樹脂の成形品であり、略円板状であって、上面中央に円筒状の筒状突出部１７１を突設し、また前記筒状突出部１７１を囲む位置に所定間隔をあけてガイド突起１７３を突出して構成されている。筒状突出部１７１の内部の孔は軸支孔１７５となっており、また筒状突出部１７１の外周面は押圧部当接面１７７となっている。またガイド突起１７３の上端側の内周面は、上方向に向かって半径方向外方に徐々に広がる傾斜面となっており、この傾斜面を押圧部当接部１７９としている。
【００２９】
回転側部材１７０の下面の外周近傍部分には、小突起状のストッパー用係止部１８１が設けられている。また回転側部材１７０の下面の所定位置には、下記する復帰用弾発部材２００の係止部２０１を挿入・係止する小穴からなる係止部１８３が形成されている。
【００３０】
復帰用弾発部材２００は弾性金属細棒を渦巻状に巻き回し、一端を上方向に折り曲げて回転側部材１７０への係止部２０１とし、他端を下方向に折り曲げて固定側部材２１０への係止部２０３としている。
【００３１】
固定側部材２１０は合成樹脂の成形品であり、略六角形平板状の支持台部２１１の上面中央に筒状の軸支部２１３を設けて構成されている。軸支部２１３の中央には上下に貫通する貫通孔２１５が設けられ、貫通孔２１５の内周面にはメネジ２１７が形成されている。メネジ２１７は、前記回転式可変抵抗器２６０のオネジ２６３（図１参照）に螺合するように形成されている。また固定側部材２１０の上面の軸支部２１３の周囲の部分には、円形凹状であって、前記復帰用弾発部材２００と回転側部材１７０を収納する収納部２１９が形成されている。収納部２１９の底面の外周近傍部分には、小突起状のストッパー用係止部２２１が設けられている。また収納部２１９の底面の所定位置には、復帰用弾発部材２００の係止部２０３を挿入・係止する小穴からなる係止部２２３が形成されている。また支持台部２１１の上面の外周部分からは、小突起状の固定部２２５が突出している。各固定部２２５は、前記抜け止め体１６０の各取付部１６３を挿入する位置及び寸法に形成されている。
【００３２】
次にストッパー付きつまみ１０の組立方法及びストッパー付きつまみ１０の回転式可変抵抗器２６０への取付方法を合わせて説明する。
【００３３】
まず、固定側部材２１０の収納部２１９内に復帰用弾発部材２００を収納する。このとき復帰用弾発部材２００の一方の係止部２０３を固定側部材２１０の係止部２２３に挿入・係止する。次に収納部２１９内に回転側部材１７０を収納する。このとき復帰用弾発部材２００の他方の係止部２０１を回転側部材１７０の係止部１８３に挿入する。そして前記回転側部材１７０の上に抜け止め体１６０を被せる。このとき、固定側部材２１０の各固定部２２５を抜け止め体１６０の各取付部１６３に挿入し、それらの先端を熱かしめする。これによって、ストッパー機構部１５（図７参照）が完成する。
【００３４】
次に蓋体２０の上面板２１の下面にクリックバネ４０のバネ基部４１を当接し、その際蓋体２０の各クリックバネ固定部２５をクリックバネ４０の各蓋体取付部４５に挿入し、それらの先端を熱かしめして固定する。次に蓋体２０の上下方向ガイド側壁２３の内部に、その下側からシャフト固定部材６０を挿入する。このときシャフト固定部材６０の突出部６３は上下方向ガイド側壁２３の突出部挿入凹部３１が挿入され、同時にシャフト固定部材６０は上下方向ガイド側壁２３の内部に上下動自在にがたつきなく収納される。同時にクリックバネ４０の各弾接アーム部４３はシャフト固定部材６０の各弾接アーム部挿入部６７内に係合する。
【００３５】
次に前記シャフト固定部材６０等を収納した蓋体２０を、つまみ操作体９０の第１収納部９７に挿入し、その際、蓋体２０の各取付部２９をつまみ操作体９０の各被取付部１０３に挿入する。そして各取付部２９の先端を仕切り部９５の下面側で熱かしめして固定する。次に前記つまみ操作体９０の第２収納部９９内に作動体１２０を収納する。このときつまみ操作体９０の各取付部１０９を作動体１２０の各操作体取付部１２７に挿入し、各取付部１０９の先端を作動体１２０の下面側で熱かしめして固定する。このとき作動体１２０の各ガイド１３１は操作体９０の各ガイド溝１０５内に挿入される。これによって、つまみ本体部１３（図７参照）が完成する。
【００３６】
そして、図７に示すように、回転式可変抵抗器２６０のシャフト２７１の上から板状の取付板（化粧板等）３００を被せてその開口３０１にシャフト２７１及び軸支部材２６４を挿通し、抵抗器本体部２０１上に載置し、次にその上からストッパー機構部１５を被せ、シャフト２７１を固定側部材２１０の貫通孔２１５に挿入し、貫通孔２１５に設けたメネジ２１７に回転式可変抵抗器２６０のオネジ２６３を螺合することで、取付板３００を挟持して回転式可変抵抗器２６０上にストッパー機構部１５を固定する。次にストッパー機構部１５の上につまみ本体部１３を被せ、シャフト２７１を前記シャフト固定部材６０のシャフト固定孔６１に挿入し、その際シャフト固定部材６０のネジ穴６５とつまみ操作部９０のネジ挿通孔９２の位置を合わせてネジ挿通孔９２からネジ２５０を挿入し、ネジ２５０をネジ穴６５に螺合してゆき、ネジ２５０の先端をシャフト２７１の側面に押し付け、これによってシャフト２７１とシャフト固定部材６０とを一体に固定する。これによってストッパー付きつまみ１０の組み立て及びストッパー付きつまみ１０の回転式可変抵抗器２６０への取り付けが完了する。なお上記組立手順はその一例であり、他の各種異なる組立手順を用いて組み立てても良いことはいうまでもない。
【００３７】
図５、図６はそれぞれ、組み立てられたストッパー付きつまみ１０の図１に示すＡ−Ａ線上断面図、Ｂ−Ｂ線上断面図である。両図に示すようにストッパー付きつまみ１０は、回転式可変抵抗器２６０の抵抗器本体部２６１上に設置されるストッパー機構部１５と、ストッパー機構部１５上に設置されるつまみ本体部１３とを具備して構成されている。
【００３８】
そして図５、図６はつまみ本体部１３が上昇した位置（つまみプル状態）にあり、このときは、図６に示すように、クリックバネ４０のクリック弾接部４７がシャフト固定部材６０のクリック用凸部６９の上側の面に弾接し、つまみ本体部１３をこの位置に保持している。このとき図５に示すように、回転側部材１７０の筒状突出部１７１と、筒状突出部１７１の周囲に位置する押圧部１２５によってクラッチ機構Ｃ１が構成されている。そして図５においては、筒状突出部１７１の押圧部当接面１７７と、押圧部１２５の押圧面１３７とは離間していて、作動体１２０の回転が回転側部材１７０に伝達されない状態（クラッチオフの状態）となっている。
【００３９】
次に、ストッパー付きつまみ１０の動作を説明する。ここで図８はクラッチオンのときの前記図５と同一面でのストッパー付きつまみ１０の断面図である。また図９はクラッチのオンオフ状態説明図であり、クラッチ機構Ｃ１の要部の概略を示している。また図１０はストッパー機構部１５における回転側部材１７０のストッパー用係止部１８１と、固定側部材２１０のストッパー用係止部２２１の位置関係を示す図である。
【００４０】
まず図５、図６に示すクラッチオフ時の状態、即ち、回転側部材１７０に対してつまみ本体部１３が上昇していて、図９（ａ）に示すように、筒状突出部１７１の押圧部当接面１７７と押圧部１２５の押圧面１３７とが離間している状態（クラッチオフの状態）では、ストッパー機構部１５の回転側部材１７０は、復帰用弾発部材２００によって上から見て左回転方向に弾発され、図１０（ａ）に示すように、回転側部材１７０のストッパー用係止部１８１は固定側部材２１０のストッパー用係止部２２１に当接している。
【００４１】
同時にこの状態でつまみ本体部１３を回転すると、つまみ本体部１３と一体にシャフト固定部材６０及びシャフト２７１が回転し、回転式可変抵抗器２６０の検出出力が変化する。つまみ本体部１３の回転範囲は、図１０（ａ）に矢印で示すように、回転式可変抵抗器２６０内に内蔵した図示しないストッパー機構によって定められた回転範囲（最小の回転位置Ｐ１から最大の回転位置Ｐ２の範囲）になる。つまり、つまみ本体部１３を上昇位置とした状態では、クラッチ機構がオフ状態なので、つまみ本体部１３はシャフト２７１の全回転範囲（略３３０°）にわたって回動する。
【００４２】
次に、図１０（ｂ）に示すように、つまみ本体部１３を上昇した状態で、つまみ本体部１３を最小の回転位置Ｐ１から中間位置Ｐ３まで右回転した後に、この中間位置Ｐ３においてつまみ本体部１３を押圧して下降し、図８、図９（ｂ）に示すように、各押圧部１２５のガイド突起当接部１３５をガイド突起１７３の押圧部当接部１７９に当接し、これによって各押圧部１２５を半径方向内側に向けて移動させ、各押圧部１２５の押圧面１３７を筒状突出部１７１の押圧部当接面１７７に当接させる。押圧部１２５を半径方向内側に向けて移動させる際、押圧部１２５のガイド１３１がつまみ操作体９０のガイド溝１０５（図３参照）にガイドされるので、押圧部１２５は確実に半径方向に向かって直線状に移動する。これによって作動体１２０と回転側部材１７０が一体に回転する状態、即ちクラッチオン状態となる。このつまみ本体部１３の下降の際、クリックバネ４０のクリック弾接部４７はシャフト固定部材６０のクリック用凸部６９を乗り越え、その際クリック感触が得られると同時に、つまみ本体部１３は下降した位置に保持される。
【００４３】
そしてクラッチオン状態のまま、図１０（ｃ）に矢印で示すように、つまみ本体部１３をさらに右方向に回転して、例えば最大の回転位置Ｐ２まで移動すると、回転側部材１７０のストッパー用係止部１８１も同時に回転する。
【００４４】
次に、最大の回転位置Ｐ２にあるつまみ本体部１３を逆に左方向に回転していくと、ストッパー用係止部１８１も同時に回動する。そして図１０（ｄ）に示すように、つまみ本体部１３が中間位置Ｐ３に到達した際は、ストッパー用係止部１８１はストッパー用係止部２２１に当接する。従ってつまみ本体部１３は中間位置Ｐ３で停止し、それより左回転はできない。つまりつまみ本体部１３は中間位置Ｐ３と最大の回転位置Ｐ２の間のみで回動自在となる。
【００４５】
さらに中間位置Ｐ３において（位置Ｐ２と位置Ｐ３の間のその他の位置でも良い）、つまみ本体部１３を上昇させて、前記各押圧部１２５の押圧面１３７を筒状突出部１７１の押圧部当接面１７７から離間させれば（図９（ａ）の状態に戻せば）、クラッチオフ状態となり、回転側部材１７０は復帰用弾発部材２００の弾発復帰力によって、図１０（ｄ）に示すように、左回転し、固定側部材２１０のストッパー用係止部２２１に回転側部材１７０のストッパー用係止部１８１が当接して静止する。これによってつまみ本体部１３は図１０（ｅ）に示すように、中間位置Ｐ３から最小の回転位置Ｐ１及び最大の回転位置Ｐ２の全回転範囲（略３３０°）にわたって回動できる状態、即ち図１０（ａ）に示す状態に戻る。
【００４６】
このように上記ストッパー付きつまみ１０によれば、つまみ本体部１３を引き上げたプル状態では、つまみ本体部１３を所定の広い回転範囲（回転式可変抵抗器２６０自体によるシャフト２７１の回転範囲）で回転させることができ、一方、プル状態のつまみ本体部１３を所定の中間位置まで回転したところでつまみ本体部１３をシャフト２７１方向に押し下げた場合（つまみプッシュ状態）では押下げた位置から他端までの範囲のみでつまみ本体部１３を回転させることができる構成を提供できる。
【００４７】
以上説明したように、ストッパー付きつまみ１０によれば、つまみ本体部１３はシャフト２７１と一体に回転すると同時にシャフト２７１に対して上下動自在に構成され、またストッパー機構部１５は、抵抗器本体部２６１側に固定される固定側部材２１０と、固定側部材２１０に対して回転すると共に所定の回転位置でその回転が制止される回転側部材１７０とを有して構成されている。そして、つまみ本体部１３が上昇位置にある際は押圧部１２５が筒状突出部１７１の外周面（押圧部当接面１７７）から離れてつまみ本体部１３のみが回転し、つまみ本体部１３が下降位置にある際は押圧部１２５が筒状突出部１７１の外周面（押圧部当接面１７７）に当接・押圧してつまみ本体部１３と回転側部材１７０が一体に回転する。
【００４８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記ストッパー付きつまみ１０では、回転側部材１７０に筒状突出部１７１とガイド突起１７３を設け、つまみ本体部１３側の部材である作動体１２０に押圧部１２５を設けたが、その逆に、回転側部材に押圧部を設け、つまみ本体部側の部材である作動体に筒状突出部とガイド突起を設けても良い。
【００４９】
また上記ストッパー付きつまみ１０では、つまみ本体部１３側の作動体１２０に押圧部１２５を設けたが、例えば作動体を省略してつまみ操作体９０自体にヒンジ部を介して押圧部を設けるなどしても良く、要は押圧部（又は上述のように押圧部を回転側部材に設ける場合は筒状突出部とガイド突起）は、つまみ本体部側の部材に設ければよい。
【００５０】
また上記例では、ストッパー付きつまみ１０を回転式可変抵抗器２６０のシャフト２７１に装着した例を示したが、回転式スイッチ等のその他の回転式電子部品のシャフトに装着しても良く、さらに回転式電子部品以外の各種操作体のシャフトに装着しても良い。
【符号の説明】
【００５１】
１０  ストッパー付きつまみ
１３  つまみ本体部
１５  ストッパー機構部
２０  蓋体（つまみ本体部）
４０  クリックバネ（つまみ本体部）
６０  シャフト固定部材
９０  つまみ操作体（つまみ本体部）
１０５  ガイド溝（ガイド機構）
１２０  作動体（つまみ本体部）
１２３  ヒンジ部
１２５  押圧部（クラッチ機構）
１３１  ガイド（ガイド機構）
１３５  ガイド突起当接部
１３７  押圧面
１６０  抜け止め体（ストッパー機構部）
１７０  回転側部材（ストッパー機構部）
１７１  筒状突出部（クラッチ機構）
１７３  ガイド突起
１７７  押圧部当接面（筒状突出部の外周面）
１７９  押圧部当接部
２００  復帰用弾発部材（ストッパー機構部）
２６０  回転式可変抵抗器（操作体）
２６１  抵抗器本体部（操作本体部）
２１０  固定側部材（ストッパー機構部）
２７１  シャフト
Ｃ１    クラッチ機構
【図１】
2015050065.tif 000003
【図２】
2015050065.tif 000004
【図３】
2015050065.tif 000005
【図４】
2015050065.tif 000006
【図５】
2015050065.tif 000007
【図６】
2015050065.tif 000008
【図７】
2015050065.tif 000009
【図８】
2015050065.tif 000010
【図９】
2015050065.tif 000011
【図１０】
2015050065.tif 000012